(57)【要約】【課題】易開封性に優れ、かつ、ステイオン機能を有する紙製タブテープを提供すること。【解決手段】天板（２１）の縁部（２３）を超えて胴部材（２４）まで達する略短冊状のタブテープであって、タブテープの縁部を超えた胴部材に密着する部位はつまみ部（１１）であって、つまみ部の内面には粘着層（１）が形成され、  タブテープの天板に密着する部位は開口部（２２）を密封する飲み口シール部（１２）であって、開口部の周縁は周縁シール部（１３）として天板とシールされ、周縁シール部に連続して開口部の中央寄りの端縁全体には狭幅のタブテープ固定部（１４）が天板とのシールにより形成されている。【選択図】図１
2005178830.tif 000002
【特許請求の範囲】
【請求項１】
紙製容器の天板に形成された開口部を覆うように紙製容器の外側から装着される紙製タブテープであって、
天板の縁部を超えて胴部材まで達する略短冊状のタブテープであって、
前記タブテープの縁部を超えた胴部材に密着する部位はつまみ部であって、該つまみ部の内面には粘着層が形成され、
前記タブテープの天板に密着する部位は開口部を密封する飲み口シール部であって、開口部の周縁は周縁シール部として天板とシールされ、周縁シール部に連続して開口部の中央寄りの端縁全体には狭幅のタブテープ固定部が天板とのシールにより形成されていることを特徴とする、易開封性を有する紙製タブテープ。
【請求項２】
前記つまみ部と飲み口シール部の境界近傍の天板の縁部を超える部分は両端に切り欠きが設けられ狭幅になっていることを特徴とする、請求項１記載の易開封性を有する紙製タブテープ。
【請求項３】
前記つまみ部の先端近傍の内側には、つまみ部を天板に再封させる第２粘着層が形成されていることを特徴とする、請求項１又は２記載の易開封性を有する紙製タブテープ。
【請求項４】
前記タブテープには、バリア層が形成されていることを特徴とする、請求項１、２又は３記載の易開封性を有する紙製タブテープ。
【発明の詳細な説明】
【技術分野】
【０００１】
本発明は、天板に形成された開口部を覆うように紙製容器の外側から装着される紙製タブテープに関し、特には、易開封性を有する紙製タブテープに関するものである。
【背景技術】
【０００２】
従来、内容量が２００〜３００ミリリットル程度の小型の容器、特に、ジュースやコーヒーなどの飲料を充填した容器においては金属缶が使用されている。
【０００３】
しかし、使用後の空き缶は金属製廃棄物として取り扱わねばならず、その廃棄量が増大する傾向からその廃棄物に対する処理に手間を要するようになってきている。
【０００４】
この点から近年においては、２００〜３００ミリリットル程度の内容量を有し自動販売機にも収容できるようにした円筒形状の紙容器が提案されている。この円筒形状の紙容器は、筒状の胴部材の一方に底板を配して底部形成するとともに、前記胴部材の他方には天板を配して天部形成している。
【０００５】
そして、前記天板にはあらかじめ開口部が穿設され、飲み口部を形成している。この開口部を通して殺菌された内容物が充填され、最後に開口部を紙製タブテープで密封することにより内容物が充填された紙容器が得られる（例えば、特許文献１参照）。
【０００６】
上記先行技術文献を示す。  
【特許文献１】特開平１０−３２４３６１号公報（図１）  しかし、このタブテープは、天板にのみ貼付され、かつ、天板の中央から周縁に向けて引き剥がして開口部を露出させる方法をとっているため、つまみ部が短く狭くなってタブテープがつまみ難く、易開封性に劣るという問題がある（図５、図６参照）。さらには、使用時に天板からタブテープを引き剥がすと、タブテープが天板から完全に分離してしまうため、ゴミ散乱の一因にもなっている。
【発明の開示】
【発明が解決しようとする課題】
【０００７】
本発明は、天板に形成された開口部を覆うように紙製容器の外側から装着される紙製タブテープに関する以上のような問題に鑑みてなされたもので、易開封性に優れ、かつ、ステイオン機能を有する紙製タブテープを提供することを課題とする。
【課題を解決するための手段】
【０００８】
本発明の請求項１の発明は、紙製容器の天板に形成された開口部を覆うように紙製容器の外側から装着される紙製タブテープであって、天板の縁部を超えて胴部材にまで達する略短冊状のタブテープであって、前記タブテープの縁部を超えた胴部材に密着する部位はつまみ部であって、該つまみ部の内面には粘着層が形成され、前記タブテープの天板に密着する部位は開口部を密封する飲み口シール部であって、開口部の周縁とそれに連続して開口部の中央寄りの端縁は狭幅のタブテープ固定部が天板とのシールにより形成されていることを特徴とする、請求項１記載の易開封性を有する紙製タブテープである。
【０００９】
このように請求項１記載の発明によれば、飲み口シール部に連続して胴部材にまで達するつまみ部が形成されているので、つまみ部は長く、面積も広くタブテープをつまみ易い。また、つまみ部の内面に粘着層が形成されているので、つまみ部の面積が広くても胴部
材と密着しておりつまみ部がぴらぴらと浮いていることがない。
【００１０】
さらに、開口部の周縁とそれに連続して開口部の中央寄りの端縁は狭幅のタブテープ固定部がシールにより形成されているので、つまみ部を持ってタブテープを上方に引き剥がし、開口部を露出させた際、タブテープはタブテープ固定部でひっかかり簡単には天板から分離できず、紙製タブテープが紙製容器から分離することが少ない。
【００１１】
また、請求項２の発明は、請求項１の発明において、前記つまみ部と飲み口シール部の境界近傍の天板の縁部を超える部分は両端に切り欠きが設けられ狭幅になっていることを特徴とする、易開封性を有する紙製タブテープである。
【００１２】
このように請求項２記載の発明によれば、つまみ部と飲み口シール部の境界近傍の天板の縁部を超える部分は両端に切り欠きが設けられ狭幅にしてあるので、タブテープはくびれており、タブテープを天板の縁部の曲面部分に貼付してもしわの発生が少なく、綺麗に仕上がる。すなわち、三次元形状への追随性を高めてある。
【００１３】
また、請求項３の発明は、請求項１又は２の発明において、前記つまみ部の先端近傍の内側には、つまみ部を天板に再封させる第２粘着層が形成されていることを特徴とする、易開封性を有する紙製タブテープである。
【００１４】
このように請求項３記載の発明によれば、つまみ部の先端近傍の内側には、つまみ部と天板に再封させる第２粘着層が形成されているので、一旦タブテープを剥がして開口部を露出させた後でも、タブテープをもとにもどして第２粘着層の塗布されている部分を胴部材に圧着させることにより、露出した開口部をタブテープで覆うことができる。
【００１５】
また、請求項４の発明は、請求項１、２又は３の発明において、前記タブテープには、バリア層が形成されていることを特徴とする、易開封性を有する紙製タブテープである。
【００１６】
このように請求項４記載の発明によれば、タブテープには、バリア層が形成されているので、常温で長期間保存可能な容器用のタブテープとしても有効である。
【発明の効果】
【００１７】
このように本発明の易開封性を有するタブテープは、天板の開口部との易開封性を向上させ、ユニバーサルデザインの考え方に準拠させることが可能になる。さらには、ステイオン機能を付与してゴミ化したタブテープの散乱を防ぐと共に、タブテープを紙主体の構成にすることにより、紙製容器本体とタブテープを一緒にリサイクル工程に流すことが可能になる。
【発明を実施するための最良の形態】
【００１８】
本発明の易開封性を有する紙製タブテープを一実施形態に基づいて以下に詳細に説明する。本発明の紙製タブテープは、例えば、図１、図２に示すように、紙製容器（２０）の天板（２１）に形成された開口部（２２）を覆うように紙製容器の外側から装着されており、天板の縁部（２３）を超えて胴部材（２４）まで達する略短冊状のタブテープ（１０）である。
【００１９】
タブテープの胴部材（２４）に密着する部位はつまみ部（１１）であって、つまみ部の内面には粘着層（１）が形成されている。
【００２０】
タブテープの天板（２１）に密着する部位は開口部（２２）を密封する飲み口シール部（１２）であって、開口部（２２）の周縁は周縁シール部（１３）として天板とシールさ
れている。
【００２１】
タブテープの末端縁は周縁シール部（１３）と連続する狭幅のタブテープ固定部（１４）が天板とのシールにより形成されている。
【００２２】
つまみ部（１１）と飲み口シール部（１２）の境界近傍は、両端に切り欠き（１５、１６）が設けられ狭幅に形成されている。狭幅にしてくびれ部を形成させることにより、円形状等の曲面を有する紙製容器の縁部に対してもしわの発生が少なく、綺麗に仕上がるという利点がある。くびれ部の最短幅は紙製容器（２０）が円筒形状の場合は５〜１０ｍｍ程度が望ましい。紙製容器（２０）が角筒形状の場合はくびれ部はなくても構わない。
【００２３】
つまみ部（１１）の先端近傍の内側に第２粘着層（２）を形成させておくことにより、タブテープ固定部（１４）を残して剥がしたタブテープの先端部分を裏返すようにして天板に貼り付ける際、タブテープは天板にさらにしっかりと固定され、ステイオンがより確実に可能になる（図３参照）。
【００２４】
紙製タブテープの材質としては、例えば、〔外側〕第１合成樹脂層（３）／紙（４）／バリア層（５）／第２合成樹脂層（６）／ピール層（７）〔内側〕のような紙を基材としたバリア層を含む複合構成のシートが好ましく使用できる（図４参照）。
【００２５】
第１合成樹脂層（３）は、紙（４）の含有水分を安定させるという役目を担う層で、ポリエチレンテレフタレート、２，６−ポリエチレンナフタレート等の合成樹脂が好ましく使用できる。
【００２６】
バリア層（５）は、タブテープにガスバリア性を付与する役割を担っているもので、一軸ないし二軸延伸されたポリエステルフィルム、ポリアミドフィルム、ポリオレフィンフィルムなどの延伸フィルム上に、酸化アルミニウムや酸化ケイ素などの無機化合物の薄膜を物理蒸着あるいは化学蒸着などの蒸着法により２０〜１００ｎｍ程度の厚さに設けた無機化合物蒸着プラスチックフィルムやエチレンビニルアルコールフィルム等の合成樹脂フィルムが好ましく使用できる。
【００２７】
第２合成樹脂層（６）は、特に冷蔵保存されていた容器を開封する際のタブテープの材質破壊を防止する層で、ポリアミド、ポリエチレンテレフタレート等の合成樹脂が好ましく使用できる。  
【００２８】
ピール層（７）は、紙製タブテープの最内層を形成する層で、天板と熱融着可能な層でなければならず、また、タブテープを剥がして開口部を露出させる使い方をすることも考慮して、天板と適度の強度で剥がれる必要がある。このような条件を考慮すると、例えば、ポリプロピレン樹脂に高密度ポリエチレン樹脂と低密度ポリエチレン樹脂を適量ブレンドした低剥離強度タイプの未延伸ポリプロピレン樹脂とすることが好ましい。
【００２９】
つまみ部（１１）の粘着層（１）を構成する粘着剤としては、熱可塑性エラストマー系ホットメルト、ポリオレフィン系ホットメルト、アクリル系エマルジョン、酢酸ビニル系エマルジョン等が好ましく使用できる。塗布量は２０〜５０ｇ／ｍ2 （固形分）程度が望ましい。
【００３０】
また、この粘着層（１）の上に塗布される第２粘着層（２）を構成する粘着剤としては、粘着層（１）を構成する粘着剤と同種類のもので構わない。第２粘着層を設けない構成としても構わない。
【図面の簡単な説明】
【００３１】
【図１】本発明の易開封性を有する紙製タブテープの一実施例を示す、（ａ）は平面説明図であり、（ｂ）は（ａ）のＡ−Ａ’線断面説明図である。
【図２】図１の紙製タブテープを紙製容器に装着した状態の一実施例を示す、斜視説明図である。
【図３】本発明の紙製タブテープを紙製容器の天板から剥がして、タブテープの先端を天板に貼り付けた状態を示す、要部断面説明図である。
【図４】本発明の紙製タブテープの層構成の一実施例を示す、断面説明図である。
【図５】従来の紙製タブテープの一例を示す、平面説明図である。
【図６】図５の紙製タブテープを紙製容器に装着した状態の一例を示す、斜視説明図である。
【符号の説明】
【００３２】
１‥‥粘着層
２‥‥第２粘着層
３‥‥第１合成樹脂層
４‥‥紙
５‥‥第２合成樹脂層
６‥‥バリア層
７‥‥第３合成樹脂層
８‥‥ピール層
１０‥‥タブテープ
１１‥‥つまみ部
１２‥‥飲み口シール部
１３‥‥周縁シール部
１４‥‥タブテープ固定部
１５‥‥切り欠き
１６‥‥切り欠き
２０‥‥紙製容器
２１‥‥天板
２２‥‥開口部
２３‥‥縁部
２４‥‥胴部材
１００‥‥タブテープ    
１１１‥‥つまみ部  
１１３‥‥周縁シール部
【図１】
2005178830.tif 000003
【図２】
2005178830.tif 000004
【図３】
2005178830.tif 000005
【図４】
2005178830.tif 000006
【図５】
2005178830.tif 000007
【図６】
2005178830.tif 000008